【事件の表示】
　特願２００４−３３２３１７「ジッパー付きカートン」拒絶査定不服審判事件〔平成１７年　２月１７日出願公開、特開２００５−　４１５８１〕について、次のとおり審決する。
【結　論】
　本件審判の請求は、成り立たない。
【理　由】
１．手続きの経緯・本願発明　
　本願は、平成１３年１１月２０日に出願した特願２００１−３５４１１５号の一部を平成１６年１１月１６日に新たな特許出願としたものであって、平成１９年１１月１９日付けで拒絶査定がなされ、これに対し平成１９年１２月２７日に拒絶査定不服審判の請求がなされたものである。本願の請求項１に係る発明は、平成１９年７月１７日付けの手続補正書により補正された特許請求の範囲及び明細書の記載から見て、その特許請求の範囲の請求項１に記載された以下のとおりのものと認める。　
　
「互いに連結された前パネルと、後パネルと、一対の側パネルと、糊代片と、前パネルに連結された天パネルと、後パネルに連結された天下パネルとを有する板紙製のカートンのうち天パネルに２本の切り込みによりジッパーを設け、該ジッパーの開始端である摘み部の端辺と重なる前記カートンの稜線上の一部に凹部を設け、前記摘み部と前記カートンとの間に間隙を形成し、　各側パネルの天パネル側に折り込み片を設け、凹部は一対の側パネルのうち摘み部側の側パネルと、これに対応する折り込み片との間の稜線上に設けられており、　
　前記凹部は、稜線の一部に両端側の稜線を残すように形成され、かつ摘み部の端辺は天パネルのうち稜線上の凹部に対応する部分に設けられていることを特徴とするジッパー付きカートン。」　
（以下、請求項１に係る発明を「本願発明」という。）　
　
２．引用例の記載事項　　
　原査定の拒絶の理由に引用された、本願の出願前に頒布された刊行物である実願昭５７−１５４６６９号（実開昭５９−６０１１３号）のマイクロフィルム（以下、「引用例１」という。）には、図面とともに次の記載がある。　
　
a..「外天板、後壁、底板、前壁、内天板を折線を介して順次連設し、該後壁の上下端に外側板を、前壁の上下端に内側板を設け、さらに外天板、底板の上下端に舌片を設けて成り、かつ前記外天板の略中央から自由端に向う二本の破断線と該破断線の内方端どうしを結ぶ折線とにより孔を有する吊り下げ部を設けた素材から成り、該素材の、内天板の外方略半分外面と外天板内方略半分内面とを接着して成る吊下げ兼用箱。」（明細書第１頁第５行〜第１３行）　
　
b.「特に紙箱等の伸縮性、可撓性がある材料でできた箱の場合は表面が膨らんだり、凹んだりするので多段積みすると崩れ易いという欠点がある。」（明細書第２頁第２行〜第５行）　
　
c.「まず、本考案は第１図に示すように外天板(1)、後壁(2)、底板(3)、前壁(4)、内天板(5)を順次、折線を介して連設し、前記後壁(2)の上下端には外側板(7)(8)を、前壁(4)の上下端には内側板(9)(10)を折線を介してそれぞれ連設するとともに、外天板(1)、底板(3)の上下端には舌片(6)をそれぞれ設けて成り」（明細書第２頁第１６行〜第３頁第１行）　　
　
d.「該素材(B)の、内天板(5)の外方略半分外面（斜線部(a)）と外天板(1)内方略半分内面（破断線(12)(12)の内方端より突出しない範囲、斜線部(b)）とを接着して成る吊り下げ兼用箱である。　
　なお、第１図、第２図に示す実施例中、番号(11)で示されるものは開封手段の一例としてジッパーを表したものである。」（明細書第３頁第９行〜第１５行）　
　
e.「（１１）・・・ジッパー」（明細書第５頁第２行）　
　
　そして、第１図〜第３図には、ジッパー１１の両側に断続した線が示されている。紙箱の開封手段としてのジッパーは、通常、その両側に切り込みを設けて形成するものであることからみて、第１図〜第３図においてジッパーの両側に示された断続線は、切り込みを示すものと認められる。　　
　　
　したがって、以上の記載及び第１図、第２図によれば、引用例１には次の発明が記載されていると認められる。（以下、「引用発明」という）　
　　
「互いに連結された後壁２と、前壁４と、底板３と、内天板５と、外天板１と、後壁２に連結された外側板７，８と、舌片６と、前壁４に連結された内側板９，１０とを有する紙箱のうち、外側板７に２本の切り込みによりジッパー１１を設けた紙箱。」　
　
　同じく、原査定の拒絶の理由に引用された、本願の出願前に頒布された刊行物である米国特許第３３６１３３２号明細書（以下、「引用例２」という。）には、図面とともに次の記載がある
　
f．「This invention relates to a means by which the end edge of the opening tab is exposed to facilitate initially gripping thereof to initially open the carton.」(第１欄第２６行〜２８行)
（日本語訳）「この発明は、カートンを開く際に最初に握ることを容易にする開口つまみの端部に関するものである。」　　
　
g．「Another object of this invention is to provide the depression or dimple in the corner edge of a carton, according to the previous object, by means of bowed score lines instead of the normal line of corner fold, and locating this dimple in underlying relationship to the free edge of the opening tab.」(第１欄第４３行〜４８行)　　
（日本語訳）「この発明の他の目的は、前の目的に従い、カートンのコーナー端部に凹部又は窪みを提供することであり、コーナー曲げ部の通常の折線の代わりに湾曲した折線により、開口つまみの端部の下にこの窪みを設けたことにある。」　　
　　
h．「FIG.4, 5 and 6 show alternate constructions of cartons embodying the improved opening feature. FIG.4 shows carton walls 50 and 52 secured together in a conventional manner by means of a manufacturer's flap 54 hinged to wall 52 and underlying and being adhesively secured to wall 50. A tear strip 56 defined by spaced parallel rows of weakened lines 57 is formed in the wall 50 and presents a free edge 58 in line with the corner 59 of the carton between walls 50 and 52. The dimple panel 60 is formed to underlie the free edge 58 of the tear strip 56 by means of bowed score line 62 formed in wall 52 and bowed score line 64 formed in lap panel 54. The depression or dimple formed across the interconnecting panel 60 thereby exposes both sides of the free edge 58 of the tear strip 56 for providing positive gripping thereof to open the carton. 」(第２欄第５５行〜７０行)　　
（日本語訳）「図４，５及び６は、改良した開口の特徴を具体化したカートンの別の構成を示したものである。図４は、カートン壁50及び52がカートン壁52のヒンジ状に曲げられた製品のフラップ54により互いに固定された図面を示している。間隔を置いて平行して並ぶ弱化線57により示されている開封テープ56はカートン壁50に形成されており、カートン壁50と52の間のコーナー部59によるライン上に自由端部58を設けている。カートン壁52に形成された湾曲した折線62と重ね合わせパネル54に形成された湾曲した折線64により、開封テープ56の自由端部58の下に窪みパネル60が形成されている。相互接続パネル60を横切るように形成された凹部又は窪みは、開封テープ56の自由端部58の両側端を露出させ、カートンを開封するためにそれをつまみ易くする。」　
（上記日本語訳は当審において作成したものである。）　
　また、上記の記載とFig.４から、「窪みパネル60が、コーナー線（稜線）59の一部に設けられていること」、「窪みパネル60の両側には稜線が残っていること」、「端部58とカートンの間には間隙があること」が図示されていると認められる。　
　　
３．対比　　
　本願発明と引用発明を対比すると、各構成要素の形状、機能、技術的意義などからみて、引用発明の「後壁」、「前壁」、「内天板」、「外側板(7)」、「内側板(9)」、「舌片」、「紙箱」は、それぞれ本願発明の「前パネル」、「後パネル」、「糊代片」、「天パネル」、「天下パネル」、「折り込み片」、「板紙製カートン」に相当する。さらに、引用発明１の「底板」と「外天板」は、いずれも本願発明の「側パネル」に相当する。　
　　
よって両者は、　　
「互いに連結された前パネルと、後パネルと、一対の側パネルと、糊代片と、前パネルに連結された天パネルと、後パネルに連結された天下パネルとを有する板紙製のカートンのうち天パネルに２本の切り込みによりジッパーを設け、各側パネルの天パネル側に折り込み片を設けたジッパー付きカートン。」　　
 である点で一致し、次の点で相違する。　
　　
相違点　
　本願発明が「ジッパーの開始端である摘み部の端辺と重なるカートンの稜線上の一部に両端側の稜線を残すように凹部を設け、摘み部とカートンとの間に間隙を形成し、凹部は摘み部側の側パネルとこれに対応する折り込み片との間の稜線上に設けられて」いるのに対して、引用発明では「凹部」の構成が無い点。　　
　　
４．相違点の検討　　
　相違点について検討すると、引用例２には、開封テープ56（ジッパー）の開始端である摘み部の端辺と重なるカートンの稜線上の一部に、稜線の両側を残すように窪みパネル60（凹部）を設け、摘み部とカートンとの間に間隙を形成したものが示されている。
　
　引用例２に示されたものは、ジッパー付きカートンといえるから、引用発明と同一の技術分野に属している。引用発明に、引用例２に示された上記構成を適用して、相違点に係る本願発明の構成とすることは当業者が容易に想到し得たことである。しかも本願発明が奏する効果も引用発明と引用例２に示された事項から当業者が予測できたものであって、格別顕著なものとはいえない。　
　
　したがって、本願発明は、引用例１及び引用例２に記載された発明に基づいて当業者が容易に発明をすることができたものである。　
　　
　　
　なお、平成２１年４月２４日に送付のFAXにより補正案が提出され、平成２１年６月５日の面接において本願発明と引用例１、２の記載事項との違いの説明がなされた。面接の説明の内容を考慮した上で前記補正案の内容を検討したが、補正案の請求項１に「ジッパーの摘み部は天パネルのうち、一方の側パネルに対応する折り込み片の反対側端部に設けられ」という構成が追加された点やパネルの連結順序が明確化された点等を考慮しても、補正案の請求項１に係る発明は上で述べたのと同様の理由により、当業者が容易に発明をすることができたものである。　
　
５　むすび　
　以上のとおりであって、本願発明は、特許法第２９条第２項の規定により特許を受けることができないものであるから、他の請求項に係る発明について検討するまでもなく、本願は拒絶されるべきものである。
　よって、結論のとおり審決する。